(57)【要約】【課題】  隣接する２つのセラミック防護板の端辺間にカッターの刃が容易に侵入することを阻止する。【解決手段】  セラミック防護板が、光ファイバーなどの細長い地中埋設物の管路の上に管路に沿って数多く連続して地中に埋設され、その地中埋設物の管路を防護する。セラミック防護板の両側辺が互いに平行であり、両端辺の各々が、Ｓ字形状でかつ互いに嵌合する形状に構成されている。各端辺の隅の角度が６０°以上である。管路の上に互いに離れた状態で、２列に、前述のセラミック防護板を数多く連続して配置し、かつ、管路をカバーするように、それらの２列のセラミック板の上に鉄板を設けて、管路防護構造を構成する。【選択図】  図１
2007143355.tif 000002
【特許請求の範囲】
【請求項１】
光ファイバーなどの細長い地中埋設物を収容した管路の上に、管路に沿って、数多く連続して地中に埋設して、管路を防護するセラミック防護板であって、両側辺が互いに平行であり、両端辺の各々が、曲線状の凹部と凸部を有する形状でかつ互いに嵌合する形状に構成されていることを特徴とするセラミック防護板。
【請求項２】
光ファイバーなどの細長い地中埋設物を収容した管路の上に、管路に沿って、数多く連続して地中に埋設して、管路を防護するセラミック防護板であって、両側辺が互いに平行であり、両端辺の各々が、複数のＶ字形状からなり、かつ互いに嵌合する形状に構成されていることを特徴とするセラミック防護板。
【請求項３】
各端辺の隅の角度が６０°以上であることを特徴とする請求項１又は２に記載のセラミック防護板。
【請求項４】
管路の上に、互いに離れた状態で、２列に、請求項１〜３のいずれか１項に記載のセラミック防護板を数多く連続して配置し、かつ、管路をカバーするように、それらの２列のセラミック板の上に鉄板を設けたことを特徴とする管路防護構造。
【発明の詳細な説明】
【技術分野】
【０００１】
本発明は、光ファイバーなどの細長い地中埋設物を収容した管路の上に埋設して、その地中埋設物用の管路を防護するセラミック防護板と、セラミック防護板を使用した管路防護構造に関する。
【背景技術】
【０００２】
電線等の地中埋設物を収容した管路は、後で行われる工事の際に、つるはし等の工具や掘削機の先端により誤って傷つけられることを防ぐために、防護板を地中埋設物用管路の上方に設置し、地中埋設物を保護している。
【０００３】
このような地中埋設物用の防護板が矩形であると、地中埋設物が曲がっている場合、防護板を地中埋設物に沿って曲線状に配置せざるをえず、その場合、隣接する防護板の端部の間に大きな隙間ができてしまう。このため、これらの隙間に、つるはし等の先端が入り込み、地中埋設物を傷つける問題がある。
【０００４】
このような問題を解消するために、特許文献１には、地中埋設物の上方に埋設して、この地中埋設物を防護するための防護板であって、防護板本体の接続方向の一方の端面を凸円弧状とし、他方の端面を曲率半径がほぼ等しい凹円弧状とした防護板が提案されている。
【０００５】
また、従来から、車道、歩道などの地中に埋設される通信用ケーブルを切断による損傷から守るため、ケーブルの周囲を鋼板で囲むことが行われている。
【０００６】
近年、一層複雑化しつつある都市部を中心として、ケーブル埋設地域の地中は、ますますケーブルの事故を誘発する状況となってきている。光ファイバーのように非常に細いファイバーを用いる場合は、振動、磁界などを含めたあらゆる外力からファイバーを保護することが必要である。
【０００７】
特許文献２に記載の埋設ケーブル用保護板は、こうした要請に応えるために提案された、硼化チタンを主成分とするセラミックスからなる保護板である。
【特許文献１】特許第２９１２８９０号
【特許文献２】特開平０６−２０９５１６号公報
【発明の開示】
【発明が解決しようとする課題】
【０００８】
従来のセラミック保護板の多くは、矩形（たとえば長方形、又は、一辺１００ｍｍ程度の正四角形）であり、連続して敷設した場合、隣り合ったセラミック保護板との境界は直線状であり、その境目に大きなV字形の隙間ができ、そこに舗装カッターの刃が入った場合、容易にカッター刃が侵入し、埋設物が切断される事故が発生していた。
【０００９】
特許文献１に記載の凹凸円弧状組合せの防護板は、隣接したセラミック保護板の端辺間に大きな隙間はできないが、その端辺の隅の角度が４０°未満になっている。そのため、端辺の隅が強度不足で折れやすい欠点があった。
【００１０】
本発明の目的は、舗装カッターの誤操作から管路を防護することができるセラミック防護板と、それを使用した管路防護構造を提供することである。
【００１１】
本発明の別の目的は、隣接する２つのセラミック防護板の端辺間にカッターの刃が容易に侵入することを阻止することができるセラミック防護板と、それを使用した管路防護構造を提供することである。
【課題を解決するための手段】
【００１２】
本発明の解決手段を例示すると、次のとおりである。
【００１３】
（１）光ファイバーなどの細長い地中埋設物を収容した管路の上に、管路に沿って、数多く連続して地中に埋設して、管路を防護するセラミック防護板であって、両側辺が互いに平行であり、両端辺の各々が、曲線状の凹部と凸部を有する形状でかつ互いに嵌合する形状に構成されていることを特徴とするセラミック防護板。
【００１４】
（２）光ファイバーなどの細長い地中埋設物を収容した管路の上に、管路に沿って、数多く連続して地中に埋設して、管路を防護するセラミック防護板であって、両側辺が互いに平行であり、両端辺の各々が、複数のＶ字形状からなり、かつ互いに嵌合する形状に構成されていることを特徴とするセラミック防護板。
【００１５】
（３）各端辺の隅の角度が６０°以上であることを特徴とする前述のセラミック防護板。
【００１６】
（４）管路の上に、互いに離れた状態で、２列に、前述のセラミック防護板を数多く連続して配置し、かつ、管路をカバーするように、それらの２列のセラミック板の上に鉄板を設けたことを特徴とする管路防護構造。
【発明の効果】
【００１７】
本発明によれば、たとえ管路を湾曲して埋設して、セラミック防護板を管路に沿って数多く連続して地中に埋設し、セラミック防護板の端辺同士の間に小さな隙間ができたとしても、そこにカッターの刃が過度に侵入することを防止できる。
【発明を実施するための最良の形態】
【００１８】
光ファイバーなどの細長い地中埋設物の管路の上にセラミック防護板を管路に沿って数多く連続して地中に埋設して、その地中埋設物の管路を防護する。それらのセラミック防護板の両側辺が互いに平行であり、両端辺の各々が、曲線状の凹部と凸部を有する形状、たとえばＳ字形状である。しかも、両端辺の各々が、互いに嵌合する形状に構成されている。
【００１９】
また、セラミック防護板の両側辺が互いに平行であり、両端辺の各々が、複数のＶ字を組合せた形状でかつ互いに嵌合する形状に構成されている。
【００２０】
Ｓ字やＶ字のいずれの形状であっても、各端辺の隅の角度は、６０°以上であることが好ましい。
【００２１】
好ましくは、管路の上に互いに離れた状態で、２列に、前述のセラミック防護板を数多く連続して配置し、かつ、管路をカバーするように、それらの２列のセラミック板の上に鉄板を設けた管路防護構造とする。
【００２２】
隣り合うセラミック防護板の端辺をＳ字形状又は複数のＶ字形状の組合せで構成することにより、いかなる角度からの舗装道路用カッターの切り込みに対しても、管路内の光ファイバーまで到達するような直線部が、セラミック防護板の端辺に存在しない。それゆえ、カッターの刃がアクシデントで管路内の光ファイバーまで達することが回避できる。
【００２３】
また、鉄板とセラミック防護板を組み合せて使用するのが好ましい。舗装道路を切断するカッターに対する防護性はセラミック製の板の方が格段に優れている。
【００２４】
ただし、セラミックはカッター刃に対する切削抵抗において優れる材料であるが、靱性に欠ける欠点を持つ。特に鋭角に尖った部分は、カッター刃の侵入において容易に破損する。その場合、セラミック板全体が破壊されることがあり、その場合、防護板としての役目を果たさないことになる。
【００２５】
この点の改善を主な目的として、隣り合うセラミック防護板の各端辺の隅の角度を６０°以上とするのが好ましい。
【００２６】
実際の道路などでの埋設工事において管路が湾曲している場合、湾曲している部分の円弧の半径は、大きいことが多い。そのため、管路の上に、互いに離れた状態で、２列に、本発明のセラミック防護板を数多く連続して配置し、かつ、管路をカバーするように、それらの２列のセラミック板の上に鉄板を設ければ、隣接するセラミック防護板の端辺間の隙間が過度に大きくなるようなことを回避できる。隣接するセラミック防護板の端辺間に、多少、隙間ができたとしても、隣接するセラミック防護板の端辺同士の隙間にカッターなどの刃が侵入して、ケーブルを誤切断することはない。
【００２７】
以下、図面を参照して、本発明の実施例を説明する。
【実施例１】
【００２８】
図１は、本発明の１つの実施例を示す。
【００２９】
セラミック防護板１は、炭化珪素からなり、両側辺２、３が互いに平行であり、両端辺４、５の各々がＳ字形状でかつ互いに嵌合する形状になっている。本発明でいう「Ｓ字形状」とは、Ｓ字に似た全て形状を意味する。たとえば、「Ｓ字形状」の中に直線部分を含むこともありうる。
【００３０】
各端辺４、５の両方の隅６、７の角度が６０°以上に設定されている。最も小さい角度、すなわち、側辺２と端辺５の隅６との角度Ｐと、側辺３と端辺４の隅７との角度Ｐは、６０°以上に設定されている。好ましくは、隅７の所定の範囲（たとえば端辺の角部から１０ｍｍまでの部分）において仮想の直線を引き、その仮想の直線と側辺２、３とのなす角度が、６０°以上に設定される。
【００３１】
図２は、図１に示したセラミック防護板１を数多く直線状に並べた状態を示す。
【００３２】
図３は、図１に示したセラミック防護板１を数多く湾曲状に並べた状態を示す。この場合、隣接するセラミック防護板１の端辺４、５間に小さな隙間８が生じるが、その隙間８は小さいので、カッター（図示せず）がそこに侵入して、管路内のケーブルを破損することはない。
【実施例２】
【００３３】
図４は、本発明による管路防護構造の一例を示している。
【００３４】
図４において、管路１０は、横断面が凹形状をした管路壁１１を有する。その管路壁１１の上端の両側に、互いに離れた状態で、２列に、前述のセラミック防護板１が数多く連続して配置されている。
【００３５】
さらに、それらの２列のセラミック板１の上に鉄板１３が、管路１０の上方全体をカバーするように、とくに横断面凹状の管路壁１１と協働して管路１０内に収容されたケーブル１４を囲むように（例えば横断面「口」の形になるように）設けられている。
【００３６】
管路１０は、前述のような組立状態で埋設されている。符号１５は地表を示している。
【００３７】
なお、カッター（図示せず）は円盤であり、通例、カッターの直径は、板板１３の幅の３〜４倍である。
【実施例３】
【００３８】
図５は、本発明による管路防護構造の別の例を示している。
【００３９】
図５において、管路１０は、横断面が円形状をした管路壁１７を有する。その管路壁１７の上方の両側に互いに離れた状態で、２列に、前述のセラミック防護板１が数多く連続して配置されている。
【００４０】
さらに、それらの２列のセラミック板１の上に接触して（あるいは少し離れて）鉄板１３が、管路１０の上方全体をカバーするように設けられている。
【００４１】
ケーブル１４は、管路１０内に設けられている。符号１５は地表を示している。
【実施例４】
【００４２】
図６は、本発明による管路防護構造の更に他の例を示している。
【００４３】
図６において、管路１０の管路壁１８は、横断面が正方形をした複数の防護台で構成されている。その管路壁１８の上端の両側に、互いに離れた状態で、２列に、前述のセラミック防護板１が数多く連続して配置されている。
【００４４】
さらに、それらの２列のセラミック板１の上に、鉄板１３が、管路１０の上方全体をカバーするように設けられている。
【００４５】
管路１０は、前述のような組立状態で埋設されている。符号１５は地表を示している。
【実施例５】
【００４６】
図７は、本発明の変形例を示している。
【００４７】
図７において、セラミック防護板１は、炭化珪素からなり、両側辺２２、２３が互いに平行であり、両端辺２４、２５の各々がＳ字形状でかつ互いに嵌合する形状になっている。
【００４８】
図７に示す両端辺２４、２５のＳ字形状は、「Ｓ字形状」の中心領域に直線部分を含んでいる。
【００４９】
各端辺２４、２５の両方の隅２６、２７の角度が６０°以上に設定されている。最も小さい角度、すなわち、側辺２２と端辺２５の隅２６との角度Ｑ、および側辺２３と端辺２４の隅２７との角度Ｑが、６０°以上に設定されている。好ましくは、隅２７の所定の範囲（たとえば各端辺の角部から１０ｍｍまでの部分）において仮想の直線を引き、その仮想の直線と側辺２２、２３との成す角度が６０°以上に設定される。
【実施例６】
【００５０】
図８は、本発明のさらに別の変形例を示す。
【００５１】
図８において、セラミック防護板１は、炭化珪素からなり、両側辺３２、３３が互いに平行であり、両端辺３４、３５の各々が複数のＶ字形状の組合せでかつ互いに嵌合する形状になっている。
【００５２】
各端辺３４、３５の両方の隅３６、３７の角度が６０°以上に設定されている。最も小さい角度Ｒも、６０°以上に設定されている。
【００５３】
前述の実施例１〜６のいずれにおいても、セラミック防護板の幅は、鉄板１３の０．２〜１倍である。
【００５４】
実験例
図に示す全ての実施例１〜６について、炭化珪素セラミック防護板１を数多く湾曲させて図４〜６に示すように敷設した。しかるのち、通例のアスファルト舗装切断用カッターにて種々方向から切断する試験をおこなったが、いずれの実験例も、セラミック防護板１の敷設位置にてカッター刃の回転が止まり、所定の性能を示した。
【００５５】
比較例
正四角形の炭化珪素製セラミック防護板を敷設し、前述の実験例と同様の試験をおこなった。数回の試行の中でセラミック防護板の境界部に同方向でカッターが進行した場合、容易に防護板敷設位置を通過してしまい、防護の役目を果たさなかった。
【図面の簡単な説明】
【００５６】
【図１】図１の（Ａ）は、本発明によるセラミック防護板の平面図、図１の（Ｂ）は、セラミック防護板の側面図である。
【図２】本発明による多数のセラミック防護板を直線に沿って並べた状態を示す平面図。
【図３】本発明による多数のセラミック防護板を曲線に沿って並べた状態を示す平面図である。
【図４】本発明によるセラミック防護板を２列に数多く連続して配置した管路防護構造の一例を示す横断面図。
【図５】本発明によるセラミック防護板を２列に数多く連続して配置した管路防護構造の他の例を示す横断面図。
【図６】本発明によるセラミック防護板を２列に数多く連続して配置した管路防護構造の更に他の例を示す横断面図。
【図７】本発明の変形例によるセラミック防護板を示す。
【図８】本発明の別の変形例によるセラミック防護板を示す。
【符号の説明】
【００５７】
１  セラミック防護板
２、３、２２、２３、３２、３３  側辺
４、５、２４、２５、３４、３５  端辺
６、７、２６、２７、３６、３７  隅
８  隙間
１０  管路
１１、１７、１８  管路壁
１３  鉄板
１４  ケーブル
１５  地表
【図１】
2007143355.tif 000003
【図２】
2007143355.tif 000004
【図３】
2007143355.tif 000005
【図４】
2007143355.tif 000006
【図５】
2007143355.tif 000007
【図６】
2007143355.tif 000008
【図７】
2007143355.tif 000009
【図８】
2007143355.tif 000010